(57)【要約】【課題】複数のアルカリ蓄電池単セルを並列に接続してなるモジュールを、１個の相当容量の単セルと同様に安全で、各セル間の容量ばらつきが小さいモジュールとすること、および、該モジュールにおける電池劣化判定方法を提供すること。【解決手段】充電用ダイオード９と充電電流制御用正温度係数サーミスタ１１とを直列に接続した第１の電路と、充電用ダイオード９とは逆向きに電流を流す放電用ダイオード１０を有する第２の電路とを並列接続し、第１の電路と第２の電路とがともに１つのアルカリ蓄電池単セル６、７または８と直列接続した構成を１サブモジュールとし、３つのサブモジュールを並列接続して１つのアルカリ蓄電池モジュールを構成する。【選択図】図３
2010282731.tif 000002
【特許請求の範囲】
【請求項１】
第１のダイオードと第１の正温度係数サーミスタとが直列接続されている第１の電路と、前記第１のダイオードとは逆向きに電流を流す第２のダイオードを有する第２の電路とを並列接続し、前記第１の電路および第２の電路を１つのアルカリ蓄電池単セルに直列接続して１つのサブモジュールを構成し、複数の前記サブモジュールを並列接続して構成されることを特徴とするアルカリ蓄電池モジュール。
【請求項２】
請求項１に記載のアルカリ蓄電池モジュールにおいて、前記第２の電路には、前記第２のダイオードと直列に第２の正温度係数サーミスタが挿入されていることを特徴とするアルカリ蓄電池モジュール。
【請求項３】
請求項１または２に記載のアルカリ蓄電池モジュールにおいて、該アルカリ蓄電池モジュールが複数直列接続されていることを特徴とするアルカリ蓄電池モジュール。
【請求項４】
請求項１、２または３に記載のアルカリ蓄電池モジュールを充電する過程において、充電電圧を所定の上限電圧まで上昇させても、充電電流値が所定の値に達しない場合に、当該アルカリ蓄電池モジュールは電池劣化を起こしたと判定することを特徴とする電池劣化判定方法。
【発明の詳細な説明】
【技術分野】
【０００１】
本発明はアルカリ蓄電池モジュールおよび電池劣化判定方法に関する。
【背景技術】
【０００２】
鉛蓄電池は通常フロート充電される。フロート充電では、満充電近くになるほど電流値が減少し、満充電近くでは充電電流値は極めて小さい。そのため、容量が１０時間率で２０００Ａｈという大容量であっても、電池温度の上昇がほとんどないので強制空冷の必要がない。そのため、鉛蓄電池では所要の電力量に応じて適当な容量の単セルを直列接続して使用する形態が採られている。
【０００３】
これに対し、ニッケル水素蓄電池、ニッケルカドミウム蓄電池等のアルカリ蓄電池は一般的に定電流で充電される。満充電近くになると電解液の水が分解する副反応が起きて、正極で酸素ガス、負極で水素ガスが発生する。正極で発生した酸素ガスは負極活物質と反応して吸収されるが、このとき発熱が起こる。発熱量はおよそ体積に比例し、放熱量は表面積に比例するため、体積が大きくなるほど放熱が困難になる。そのため、定電流で充電するアルカリ蓄電池では大型化が難しく、１００Ａｈを大きく上回るような大容量の単セルは、現在まだ実用化されていない。
【０００４】
このようにアルカリ蓄電池では大容量の単セルが得られないため、大容量を必要とする場合には単セルを多数直列や並列に接続して使用する必要がある。このうち、直列接続のみの形態が最も単純な構成であるが、放電電流の上限値は単セルの上限値により制限される。また、蓄電池電圧と接続機器の入力電圧との差が大きいと昇圧または降圧時の損失が大きくなる。更に、降圧装置が故障して、機器に過度の高電圧が直接印加される危険を避けるため、降圧装置を冗長構成にする等の配慮が必要である。
【０００５】
直列接続のみの構成では放電電流値が不足する場合や、必要な容量を賄うために直列数を多くすると電圧が高くなり過ぎて降圧による効率低下が大きくなる。一方、アルカリ蓄電池を並列に接続した場合、その制御は直列のみの場合に比べて複雑になる。また、安定した放電をさせるためには、昇降圧制御と電流制限を行う放電器が必須である。
【０００６】
並列接続に伴う上記の制御の複雑さを避ける一つの方法として、複数の単セル同士を並列に接続して１モジュールとし、このモジュールを一つの大容量の単セルのように取り扱う方法が考えられる。即ち、このモジュールを直列に接続することにより、鉛蓄電池の場合と同様に、必要な電力量に応じたシステムが構築できると考えられる。しかし、アルカリ蓄電池の場合、単にＮ個の単セルを並列に接続して単セルのＮ倍の充電電流を流しても、各単セルに均等に電流が流れる保証はない。電流は各単セルの内部抵抗に反比例して分配されるので、内部抵抗が大きい単セルには過小な電流しか流れず、また内部抵抗が小さい単セルには過大な電流が流れる。蓄電池の内部抵抗は、使用開始直後はセル間で比較的均一であるが、使用するに連れて差が増大することが一般的である。従って、使用開始直後を除けば、満充電をどの単セルで判断したかにより、単セル間の充電アンバランスが生じ、モジュール全体として充電不足あるいは過充電となることも考えられる。満充電の単セルにおいて過充電が続くと電池の劣化を早め、電池の破裂等の事故にもつながる。また充電不足の単セルは放電時に過放電になり易く、やはり劣化を早める。このような恐れがあるため、アルカリ蓄電池の単セル同士を並列に接続してモジュール化して大容量の単セルのように見なし、更にそれを直列に接続して使用する方法は採られていない。
【０００７】
以上の理由で、アルカリ蓄電池を組み合わせて大容量で使用することは鉛蓄電池に比べて難しく、その普及は遅れていた。
【先行技術文献】
【非特許文献】
【０００８】
【非特許文献１】北野、宮坂、山下、正代、２００９年  電子情報通信学会総合大会  通信講演論文集２、Ｓ−１０５〜Ｓ−１０６頁（２００９）
【発明の概要】
【発明が解決しようとする課題】
【０００９】
本発明は、上述の、アルカリ蓄電池を組み合わせて大容量で使用することの困難性に鑑みてなされたものであり、本発明が解決しようとする課題は、複数のアルカリ蓄電池単セルを並列に接続してなるモジュールを、１個の相当容量の単セルと同様に安全で、各セル間の容量ばらつきが小さいモジュールとすること、および、該モジュールにおける電池劣化判定方法を提供することである。
【課題を解決するための手段】
【００１０】
本発明の第１の発明では、複数のアルカリ蓄電池の単セルを並列接続したモジュールを次のように構成することを特徴とする。まず、第１のダイオードと第１の正温度係数サーミスタ（ＰＴＣサーミスタ、ＰＴＣはPositive  Temperature  Coefficientの略）とを直列に接続した第１の電路と、第１のダイオードとは逆向きに電流を流す第２のダイオードを有する第２の電路とを並列接続し、第１の電路と第２の電路とがともに１つのアルカリ蓄電池単セルと直列接続した構成を１サブモジュールとし、複数のサブモジュールを並列接続して１つのアルカリ蓄電池モジュールを構成する（図３参照）。このアルカリ蓄電池モジュールを充電器（図示せず）によって充電し、直流電源として利用する。ここで、ＰＴＣサーミスタは充電制御（図３に示した場合）または放電制御（図３のダイオードの向きをそれぞれ逆にした場合）を行うものである。
【００１１】
本発明の第２の発明では、複数のアルカリ蓄電池の単セルを並列接続したモジュールを次のように構成することを特徴とする。まず、第１のダイオードと第１の正温度係数サーミスタとを直列接続した第１の電路と、第１のダイオードとは逆向きに電流を流す第２のダイオードと第２の正温度係数サーミスタとを直列接続した第２の電路とを並列接続し、第１の電路と第２の電路がともに１つのアルカリ蓄電池単セルと直列接続した構成を１サブモジュールとし、複数のサブモジュールを並列接続して１つのアルカリ蓄電池モジュールを構成する（図４参照）。このアルカリ蓄電池モジュールを、充電器（図示せず）によって充電し、直流電源として利用する。ここで、第１のＰＴＣサーミスタは充電制御を行うものであり、第２のＰＴＣサーミスタは放電制御を行うものである。
【００１２】
以下に、上記モジュール構成を採用することによって、従来の課題であった並列接続されたアルカリ蓄電池単セル間の充放電アンバランスが解消されることを説明する。
【００１３】
正温度係数サーミスタは、チタン酸バリウム等の強誘電体の電気抵抗がキュリー点付近で急激に増大する性質を利用した素子である。一般に、正温度係数サーミスタにおいては、図１に示したように、印加電圧（１）と、強誘電体中を流れる電流（２）との関係は、保護電流値（３）と呼ばれる電流の極大点までは電流が印加電圧にほぼ比例して増大するが、保護電流値を超えると、強誘電体中で発生するジュール熱によって強誘電体の温度がキュリー点を超え、電気抵抗が増大し、電流は印加電圧が増大するにつれて減少する。この性質を利用して、蓄電池に過大な電流が流れないようにすることが可能である。
【００１４】
複数の蓄電池を並列に接続して定電流で充電すると、内部抵抗の小さい単セルには大きな電流が流れ、内部抵抗が大きい単セルには小さい電流しか流れない。そのため充電を同時に終了すれば充電容量に差が生じる。単セルのそれぞれに正温度係数サーミスタを直列に取り付けることにより、最大電流を制限し、電流差を小さく抑えることができるので、充電容量も均等化できる。
【００１５】
充電電流と放電電流が異なる場合には、順方向電流の向きが互いに逆な２つのダイオードを各単セルに直列接続することによって、充放電回路を充電回路と放電回路とに分け、充電回路と放電回路のそれぞれに、充電電流制御用と放電電流制御用の正温度係数サーミスタを挿入すればよい。なお、２つの正温度係数サーミスタのうちの一方を省いてもよい。
【００１６】
また、本発明の第３の発明では、上記第１または第２の発明の構成のアルカリ蓄電池モジュールを複数直列に接続することも特徴とする。
【００１７】
さらに、本発明の第４の発明では、上記第１または第２の発明のモジュール構成、もしくは上記第３の発明の構成でアルカリ蓄電池を充電する場合に、所定の上限電圧まで充電電圧を上昇させても、充電電流値が所定の値に達しない場合に、当該蓄電池モジュールは電池劣化を起こしたと判定することも特徴とする。
【発明の効果】
【００１８】
本発明により、複数のアルカリ蓄電池単セルを並列に接続し、少なくとも充電制御または放電制御を正温度係数サーミスタによって行い、１個の大容量の単セルと同様に安全で、各セル間の容量ばらつきの小さい充放電を行うことが可能なアルカリ蓄電池モジュールを提供することが可能となる。
【図面の簡単な説明】
【００１９】
【図１】正温度係数サーミスタの印加電圧と電流の関係を示す模式図である。
【図２】３個のアルカリ蓄電池単セルを並列に接続した図である。
【図３】３個の並列に接続されたアルカリ蓄電池単セルに充電電流制御用の正温度係数サーミスタを取り付けた図である。
【図４】３個の並列に接続されたアルカリ蓄電池単セルに充電電流制御用の正温度係数サーミスタと放電電流制御用の正温度係数サーミスタとを取り付けた図である。
【発明を実施するための形態】
【００２０】
以下、実施例に基づいて本発明を詳述するが、本発明は本実施例に限定されない。
【００２１】
［比較例］
図２に示すように、定格容量１００Ａｈのニッケル水素蓄電池単セル３個（６、７、８）を互いに並列に接続し、正極側端子４と負極側端子５に充電器を接続して、室温において電流値６０Ａで充電した。各単セルを流れる充電電流は、充電開始１分後にそれぞれ２２．６Ａ、２１．７Ａ、１５．７Ａであった。また充電終止条件、すなわちｄＴ／ｄｔ＝０．３℃／分（ｄＴ／ｄｔはセルの温度上昇速度）で終了直前の電流値はそれぞれ２２．５Ａ、２１．６Ａ、１５．９Ａであった。続いて電流値９Ａで２時間、均等化充電を行った。そのときの各セルを流れる電流値はそれぞれ３．４Ａ、３．２Ａ、２．４Ａであった。
【００２２】
充電終了後１時間の休止の後、同じ図２の正極側端子４と負極側端子５を電子負荷に接続し、３セルを並列接続のまま電流値９０Ａで定電流放電を行った。放電電流値は放電開始１分後にそれぞれ３３．８Ａ、３２．４Ａ、２３．８Ａであった。また放電終了直前にはそれぞれ、３４．０Ａ、３２．５Ａ、２３．５Ａであった。セル電圧１．０Ｖまで放電させた後、１時間の休止をおいて各セル間の接続を切断し、１セル毎に電子負荷に接続して電流値３０Ａで放電させたところ、放電容量は１．２Ａｈ、５．８Ａｈ、１１．３Ａｈであった。このように、ニッケル水素電池単セル間で、大きな容量アンバランスが生じている。
【実施例１】
【００２３】
図３に示すように、比較例と同一のニッケル水素蓄電池単セル６、７、８を用いて、第１のダイオードである充電用ダイオード９と第１の正温度係数サーミスタである充電電流制御用正温度係数サーミスタ１１とを直列に接続した第１の電路と、充電用ダイオード９とは逆向きに電流を流す第２のダイオードである放電用ダイオード１０を有する第２の電路とを並列接続し、第１の電路と第２の電路とがともに１つのアルカリ蓄電池単セル６、７または８に直列接続した構成を１サブモジュールとし、３つのサブモジュールを並列接続して１つのアルカリ蓄電池モジュールを構成した。
【００２４】
まず、このアルカリ蓄電池モジュールを、比較例と同様に電流値６０Ａで充電した。保護電流値は２１．５Ａであった。充電開始１分後の電流値はそれぞれ１９．９Ａ、２１．４Ａ、１８．７Ａであった。また充電終止条件、すなわちｄＴ／ｄｔ＝０．３℃／分による充電終了直前の電流値はそれぞれ１９．８Ａ、２０．５Ａ、１９．７Ａであった。続いて電流値９Ａで２時間、均等化充電を行った。そのときの各セルを流れる電流値はそれぞれ２．６Ａ、２．７Ａ、３．７Ａであった。
【００２５】
充電終了後１時間の休止の後、放電電流９０Ａでセル電圧１．０Ｖまで放電させた。放電終了１時間後、各単セルを切り離して電子負荷に接続し、３０Ａでセル電圧１．０Ｖまで放電させて残容量を測定した。残容量はそれぞれ０．８Ａｈ、２．８Ａｈ、６．５Ａｈであり、充電制御用の正温度係数サーミスタ１１を取り付けたことにより、比較例の場合に比べて容量の均等化が実現できたことがわかった。
【００２６】
なお、図３に示したダイオードの向きを逆にすれば、放電電流制御のみを行うアルカリ蓄電池モジュールとなる。
【実施例２】
【００２７】
図４に示すように、比較例と同一のニッケル水素蓄電池単セル６、７、８を用いて、第１のダイオードである充電用ダイオード９と第１の正温度係数サーミスタである充電電流制御用正温度係数サーミスタ１１とを直列接続した第１の電路と、充電用ダイオード９とは逆向きに電流を流す第２のダイオードである放電用ダイオード１０と第２の正温度係数サーミスタである放電電流制御用正温度係数サーミスタ１２とを直列接続した第２の電路とを並列接続し、第１の電路と第２の電路とがともに１つのアルカリ蓄電池単セル６、７または８と直列接続した構成を１サブモジュールとし、３つのサブモジュールを並列接続して１つのアルカリ蓄電池モジュールを構成した。
【００２８】
まず、このアルカリ蓄電池モジュールを、実施例１と同様に充電電流６０Ａでを充電した。
【００２９】
充電終了後１時間の休止の後、放電電流９０Ａで定電流放電を行った。放電制御用正温度係数サーミスタの保護電流値は３３Ａであった。放電開始直後の各セルを流れる放電電流は、それぞれ２９．２Ａ、３１．８Ａ、２９．０Ａであった。またセル電圧１．０Ｖで放電終了直前の放電電流はそれぞれ、２９．１Ａ、３２．１Ａ、２８．８Ａであった。放電終了後１時間の休止の後、各セルを互いに切り離してそれぞれ電子負荷に接続し、残容量を測定した。残容量はそれぞれ１．３Ａｈ、１．７Ａｈ、１．８Ａｈであり、実施例１の場合と比較して、更に容量の均等化が実現できたことがわかった。
【実施例３】
【００３０】
実施例１および２で用いた単セルの１つを容量が７０Ａｈ未満まで劣化した単セルに取り替え、実施例１および２と同様に接続して、充電電流６０Ａで充電を試みた。しかし、所定の上限電圧である１９Ｖまで充電電圧を上昇させても充電電流は所定の値である６０Ａに達しなかったため、一部のセルが劣化しており、取り替えが必要と判定した。他のセルに比較して大きく劣化した単セルが並列に接続されていると、充電電流が所定値に達しないので、この点から蓄電池セルの劣化、取り替えの必要性を判定することが可能であることがわかった。このような電池劣化判定方法が有効である理由は、容量低下を起こした蓄電池セルは、容量低下を起こしていない蓄電池セルよりも少ない充電量で満充電に達し、その結果として、充電電流の合計が所定の値に達しなくなることにある。
【実施例４】
【００３１】
比較例、実施例１、実施例２で用いた並列セル回路をそれぞれ４段直列に接続して充電器に接続し、充電電流６０Ａで充電した。充電終止条件、すなわちｄＴ／ｄｔ＝０．３℃／分で終了後、更に９Ａで２時間充電した。
【００３２】
その後１時間の休止を挟んで９０Ａで４．０Ｖ（１．０Ｖ／セル）まで放電し、更に１時間後各単セルを切り離して３０Ａで放電し、残容量を比較した。その結果、残容量の最大と最小の差はそれぞれ、１３．３Ａｈ、５．２Ａｈ、１．６Ａｈであり、比較例を用いた場合（１３．３Ａｈ）に比べて、正温度係数サーミスタを取り付けたことにより、各セル間の容量ばらつきが大幅に低下したこと（５．２Ａｈ、１．６Ａ）が確かめられた。
【００３３】
上記比較例と各実施例ではニッケル水素蓄電池セルを例に説明したが、本発明は、同じアルカリ蓄電池であるニッケルカドミウム蓄電池セルにおいても同様の効果を奏する。
【符号の説明】
【００３４】
１：印加電圧、２：電流、３：保護電流値、４：正極側端子、５：負極側端子、６：蓄電池Ａ、７：蓄電池Ｂ、８：蓄電池Ｃ、９：充電用ダイオード、１０：放電用ダイオード、１１：充電電流制御用正温度係数サーミスタ、１２：放電電流制御用正温度係数サーミスタ。
【図１】
2010282731.tif 000003
【図２】
2010282731.tif 000004
【図３】
2010282731.tif 000005
【図４】
2010282731.tif 000006